(57)【要約】【課題】障害が生じたプラントの設備の保守対策を迅速に行えるプラント用作業支援システムを提供する。【解決手段】プラントの設備１を監視制御するコントローラ２と、これからの制御データを監視制御する操作卓３と、操作卓３に連なる遠隔作業支援装置１０を有し、遠隔作業支援装置１０には通信網４を介して設備１近辺に設けたアンテナ７で携帯用情報端末６と通信可能にしている。遠隔作業支援装置１０は、設備１の障害情報を携帯用情報端末５に配信する障害情報配信手段１１と、携帯用情報端末５の要求に応じて障害情報データベースの情報を読み出す障害情報検索手段１５を設け、障害情報配信手段１１には、携帯用情報端末５の所在地を検索する端末位置検索部１２と、検索した携帯用情報端末５にプラントの設備の障害発生情報を通知する情報配信部１３と、携帯用情報端末５から障害対応状況を受信する障害対応受信部１４を備える。【選択図】図１
2007233562.tif 000002
【特許請求の範囲】
【請求項１】
プラントの設備を監視制御するコントローラと、前記コントローラからの制御データを監視制御する操作卓と、前記操作卓に連なると共に、通信網及び設備近辺に設けたアンテナを介してデータ通信が可能な携帯用情報端末と通信可能にした遠隔作業支援装置とを有するプラント用作業支援システムにおいて、前記遠隔作業支援装置には、前記操作卓からのプラントの設備の障害情報を前記携帯用情報端末に配信する障害情報配信手段と、前記携帯用情報端末からの要求に応じて障害情報データベースの情報を読み出す障害情報検索手段を設け、前記障害情報配信手段には、前記携帯用情報端末の所在地を検索する端末位置検索部と、検索した前記携帯用情報端末にプラントの設備の障害発生を通知する情報配信部と、前記携帯用情報端末から障害対応状況を受信する障害対応受信部を備えて構成したことを特徴とするプラント用作業支援システム。
【発明の詳細な説明】
【技術分野】
【０００１】
本発明は、プラント用遠隔作業支援システムに係り、特にプラントの設備の障害情報に適切に対応して保守処置が行うことのできるプラント用作業支援システムに関する。
【背景技術】
【０００２】
通常、プラント用監視システムでは、プラントを構成する各機器の監視を常時行って、事故等の非常時に対応できるようにしている。例えば、プラントである発電設備では、各構成機器の状態値を取り込むデータ取込部を設けている。そして、データ取込部で取り込まれたプラントの状態値が、所定値を上回ったときに構成機器毎に予め対応付けて設定された送信先に警報情報を発信する警報発信部を設け、しかも警報信号が発生した構成機器の据付や試運転或いは保守作業を行う作業員が携帯する携帯用情報端末装置に、作業員に対する作業の指示情報を発信するプラント情報発信部を備えて、発電設備の据付、試運転或いは定期点検の作業を、迅速に行うことができるプラント監視システムが提案されている（特許文献１参照）。
【０００３】
また、設備又は機械器具等では、性能や故障等の稼働状態に対する監視情報を監視システムで収集して、設備又は機械器具等での保全の要否の診断を行っている。この場合、保全管理システムでは、通信回線を介して監視システムから保全要請を受けると、この要請に対する対処内容を策定し、対処内容に基づいて監視システム又は保守要員の携帯用情報端末若しくは部品メーカの部品管理システムへ保全に係る手配又は指示を通知し、保全に係る対処内容の履歴を保全管理システムに蓄積するような設備又は機械器具等の保全管理支援方法も提案されている（特許文献２参照）。
【０００４】
【特許文献１】特開２００３−１５０２４５号公報
【特許文献２】特開２００４−１１０７０９号公報
【発明の開示】
【発明が解決しようとする課題】
【０００５】
しかしながら、従来のプラント用監視システムでは、プラントの設備に障害発生時が発生したときには、管理制御室に設置された操作卓に警報情報が表示される。このときには、オペレータが保守責任者に対して内線電話やトランシーバ等の連絡手段で保守作業者に通知し、連絡を受けた保守作業者は、障害発生した設備の設置場所に行き、状況を確認後にオペレータと再度連絡を取り合いながら、障害対応の保守作業を行っている。
【０００６】
このため、オペレータからの保守作業者への障害情報の通知では、保守作業者にとって連絡内容が聞き取り難くて正確な情報伝達が困難なこともあり、また保守作業者の所在位置によっては、プラントの設備に対する障害対応の保守作業が遅れてしまう恐れがある問題がある。
【０００７】
本発明の目的は、障害が生じたプラントの設備の保守対策を迅速に行えるプラント用作業支援システムを提供することにある。
【課題を解決するための手段】
【０００８】
本発明は、プラントの設備を監視制御するコントローラと、前記コントローラからの制御データを監視制御する操作卓と、前記操作卓に連なると共に、通信網及び設備近辺に設けたアンテナを介してデータ通信が可能な携帯用情報端末と通信可能にした遠隔作業支援装置とを有するプラント用作業支援システムにおいて、前記遠隔作業支援装置には、前記操作卓からのプラントの設備の障害情報を前記携帯用情報端末に配信する障害情報配信手段と、前記携帯用情報端末からの要求に応じて障害情報データベースの情報を読み出す障害情報検索手段を設け、前記障害情報配信手段には、前記携帯用情報端末の所在地を検索する端末位置検索部と、検索した前記携帯用情報端末にプラントの設備の障害発生を通知する情報配信部と、前記携帯用情報端末から障害対応状況を受信する障害対応受信部を備えて構成したことを特徴とする。
【発明の効果】
【０００９】
本発明のようにプラント用作業支援システムを構成すれば、プラントの設備に障害が生じた場合に、障害設備の近辺に存在する保守作業者の所持する携帯用情報端末を特定し、この携帯用情報端末に遠隔作業支援装置から障害情報を送信できるから、保守作業者によるプラントの設備の保守対策を迅速に行うことができる。
【発明を実施するための最良の形態】
【００１０】
本発明のプラント用作業支援システムは、プラントの設備を監視制御するコントローラと、前記コントローラからの制御データを監視制御する操作卓と、前記操作卓に連なると共に、通信網及び設備近辺に設けたアンテナを介してデータ通信が可能な携帯用情報端末と通信可能にした遠隔作業支援装置とを有する。この遠隔作業支援装置には、前記操作卓からのプラントの設備の障害情報を前記携帯用情報端末に配信する障害情報配信手段と、前記携帯用情報端末からの要求に応じて障害情報データベースの情報を読み出す障害情報検索手段を設けている。
【実施例１】
【００１１】
以下、本発明のプラント用作業支援システムについて、図１及び図２に示す実施例を用いて説明する。プラントの補機等の各種の設備１は、これらは従来と同様にそれぞれプログラマブルロジックコントローラ（Ｐｒｏｇｒａｍｍａｂｌｅ  Ｌｏｇｉｃ  Ｃｏｎｔｒｏｌｌｅｒ：ＰＬＣ）等のコントローラ２によって監視制御している。このコントローラ２は、制御室内の電子計算機を含む操作卓３と接続し、コントローラ２から操作卓３側に送信されてくる制御データを、監視担当者により監視制御する。
【００１２】
電子計算機を含む操作卓３は、障害種別や障害発生日時や障害内容等の障害情報を送信する通信インタフェース３Ａを介して本発明の遠隔作業支援装置１０の障害情報を受信する通信インタフェース１６と連なっている。しかも、電子計算機を用いる遠隔作業支援装置１０には、図２に示す如く通信網４及び設備１近辺に設置してあるアンテナ７を介して、それぞれ保守作業者が携帯するデータ通信が可能な複数の携帯用情報端末５や大型情報端末６を連結し、通信可能な構成としている。
【００１３】
遠隔作業支援装置１０には、図１に示す如く操作卓３からの設備１の障害情報を前記携帯用情報端末５に配信する障害情報配信手段１１と、前記携帯用情報端末５からの要求に応じて障害情報データベースの情報を読み出す障害情報検索手段１５、障害情報配信時に参照する障害配信用データベースＤＢ１、障害発生の履歴や各設備の障害発生時の対応及び復旧手段を登録してある障害情報データベースＤＢ２を備えている。
【００１４】
そして、障害情報配信手段１１には、それぞれ後述するように携帯用情報端末５の所在地を検索する端末位置検索部１２と、検索抽出した携帯用情報端末５に障害が発生した設備１の障害発生の情報を通知する情報配信部１３と、保守作業者による携帯用情報端末５から障害対応状況を受信する障害対応受信部１４とを設け、所定の対応を可能にしている。
【００１５】
遠隔作業支援装置１０の障害配信用データベースＤＢ１は、プラントの各設備１の最寄りアンテナを例えば最も近いアンテナから順に最大で３台を登録した機器位置情報と、障害発生時の情報配信先となる複数の携帯用情報端末５及び送信優先度を登録した障害配信先情報と、障害に対する現在の対応状況や保守作業者を格納した障害対応履歴情報等を格納している。また、障害情報データベースＤＢ２には、各設備１の障害発生時の対応及び復旧手段を登録した対応及び復旧手段情報と、過去に発生した障害発生の履歴を格納した障害発生履歴情報等を保有している。
【００１６】
本発明に用いる携帯用情報端末５としては、一般的な携帯電話ばかりでなく、ＰＨＳ（Ｐｅｒｓｏｎａｌ  Ｈａｎｄｙｐｈｏｎｅ  Ｓｙｓｔｅｍ）やＰＤＡ（Ｐｅｒｓｏｎａｌ  Ｄｉｇｉｔａｌ  Ａｓｓｉｓｔａｎｔ）等のデータ通信が可能な各種の携帯用機器を用いることができる。
【００１７】
プラントの運転の際、設備１に障害発生したときには、監視制御室の操作卓３の監視画面に障害発生の内容を表示し、同時に通信インタフェース３Ａを介して遠隔作業支援装置１０に障害内容を送信する。遠隔作業支援装置１０では、図３に示すように操作卓３からの障害情報は通信インタフェース１６を介して受信し（ステップＳ２０）、障害情報配信手段１１へ情報が伝達する。
【００１８】
障害情報配信手段１１では、障害情報に付帯されている障害発生した設備1の番号を元に、障害配信用データベースＤＢ１の設備位置情報と障害配信先情報から障害発生設備の最寄りアンテナ７を検索し（ステップＳ２１）、障害情報の配信先となる携帯用情報端末５を検索する（ステップＳ２２）。検索結果で得られた障害情報配信先の携帯用情報端末５を対象に端末位置検索部１２を起動し（ステップＳ２３）、各携帯用情報端末５の存在エリアを特定する。
【００１９】
即ち、各携帯用情報端末５の存在エリアを特定は、図４を用いて処理の詳細を示すように、端末位置検索部１２から指定携帯用情報端末５に対して応答要求を送信する（ステップＳ３０）。指定携帯用情報端末５は電源がオンで、アンテナ７からの電波の届く範囲に存在すれば、この応答要求を受信し（ステップＳ３１）、応答要求受信後に周辺のアンテナの中から最も電波の強い最寄りアンテナ７を使用して応答を返信する（ステップＳ３２）。端末位置検索部１２では、このとき応答経路として使用されたアンテナ７を検索し（ステップＳ３３）、保守作業者が携帯する携帯用情報端末５の最寄りアンテナ７を特定し、その位置を特定することができる。
【００２０】
次に、障害情報配信手段１１は、障害配信先情報から得た障害を生じた設備１の最寄りアンテナ７と、端末位置検索部１２で得た各携帯用情報端末５の位置をもとに、図５を用いて処理の詳細を後述する情報配信部１３を起動し（ステップＳ２４）、情報配信をする。
【００２１】
この後、障害情報配信手段１１では、リトライタイミング待ちし（ステップＳ２５）、障害情報検索手段１５を使用しての障害配信用データベースＤＢ１の障害対応履歴情報から、該当障害に対する現在の対応状況の参照を行い（ステップＳ２６）、障害対応履歴の判定を行い（ステップＳ２７）、対応状況が未対応であれば、再度障害情報配信を実施し（ステップＳ２８）、対応中又は対応完了であれば、処理を終了する。
【００２２】
図５に示すように情報配信部１３では、端末位置検索部１２で取得した各携帯用情報端末５の最寄りアンテナと、障害配信用データベースＤＢ１の設備位置情報から取得した障害を生じた設備１の最寄りアンテナ１の比較を実施する（ステップＳ４０）。一致した携帯用情報端末５の存在を判定し（ステップＳ４１）、存在無しのときは障害を生じた設備１の別のアンテナ７との比較を実施する（ステップＳ４２）。
【００２３】
各携帯用情報端末５の最寄りアンテナと障害を生じた設備１の最寄りアンテナの比較処理（ステップＳ４０、ステップＳ４２、ステップＳ４４）及び判定処理（ステップＳ４１、ステップＳ４３、ステップＳ４５）は、障害配信用データベースＤＢ１に登録した最も近いアンテナから順に存在有りまで登録した機器位置情報の数分を実施するもので、図５では３回を行う例である。判定処理（ステップＳ４１、ステップＳ４３、ステップＳ４５）の結果で、一致した携帯端末が存在有りすれば、該当の携帯用情報端末５の番号を障害情報に付加し（ステップＳ４６）、該当の携帯用情報端末５に障害情報をメールにて送信を実施する（ステップＳ４７）。
【００２４】
なお、携帯用情報端末５の検索で全ての携帯用情報端末５がエリア外の場合、配信先となる全携帯用情報端末５に対して障害情報を配信する。エリア内に配信先の携帯用情報端末５が存在する場合、その台数が１台であればその携帯用情報端末５に配信し、複数台であれば優先度の高い携帯用情報端末５に配信し、受信した携帯用情報端末５を保持する保守作業者の応答に応じて保守指示等の処置を実施する。
【００２５】
遠隔作業支援装置１０に障害情報配信手段１２を設けることで、どの携帯用情報端末５が障害を生じた設備１の近くに存在するのを検索して障害を生じた設備の情報を漏れなく送信し、該当携帯用情報端末５を保持する保守作業者による迅速な対応が可能となるから、効果的なプラントの作業支援ができる。また、障害を生じた設備１付近の保守作業者が対応できない状況においても、障害対応履歴情報を参照し、未対応であれば再送を可能とすることで、対応可能な保守作業者が障害設備の復旧を実施することができる。
【００２６】
障害情報配信手段１１の障害対応受信部１４では、保守作業者の携帯用情報端末５から送信されてくる障害を生じた設備１に対する対応状況を受信し、対応状況と送信元の携帯用情報端末５の番号を、障害配信用データベースＤＢ１の障害対応履歴情報に記録格納し、これを反映する。
【００２７】
障害情報は携帯用情報端末５の画面に表示し、携帯用情報端末５を所持する保守責任者は、障害発生通知の画面から該当設備の現場へ急行して状況を確認し、対応復旧に急を要する場合には、携帯用情報端末５から通信網４を介して障害情報検索手段１５にアクセスし、障害情報データベースＤＢ２から障害の対応復旧に必要な情報を検索して復旧作業に活用する。保守作業において、携帯用情報端末５の表示画面では表示しきれない、更に詳細な情報を閲覧するためには、パーソナルコンピュータ等の大型情報端末６を活用し、閲覧したい詳細な情報を表示させて、保守作業を効率的に行うようにすることもできる。
【図面の簡単な説明】
【００２８】
【図１】本発明のプラント用作業支援システムの一実施例を示す概略構成図である。
【図２】本発明を適用するプラント用作業支援システムを示す概略図である。
【図３】遠隔作業支援装置での障害情報の配信処理手順を示すフローチャートである。
【図４】遠隔作業支援装置における携帯用情報端末の位置検索処理手順を示すフローチャートである。
【図５】遠隔作業支援装置から携帯用情報端末への情報配信処理手順を示すフローチャートである。
【符号の説明】
【００２９】
１…設備、２…コントローラ、３…操作卓、４…通信網、５…携帯用情報端末、７…アンテナ、１０…遠隔作業支援装置、１１…障害情報配信手段、１２…端末位置検索部、１３…情報配信部、１４…障害対応受信部、１５…障害情報検索手段、ＤＢ１…障害配信用データベース、ＤＢ２…障害情報データベース。
【図１】
2007233562.tif 000003
【図２】
2007233562.tif 000004
【図３】
2007233562.tif 000005
【図４】
2007233562.tif 000006
【図５】
2007233562.tif 000007